(57)【特許請求の範囲】
【請求項１】
瓦屋根を構成する複数の屋根材を取り外すことにより下地の略矩形状領域を露出させる工程と、
露出させた下地上に、防水層を構築すると共に突出状の持出金具を配設する工程と、
複数の持出金具に架け渡すように横桟材を配設する工程と、
横桟材間に外設構造を構築する工程と、
を含むことを特徴とする瓦屋根への外設構造の構築法。
【請求項２】
瓦屋根の略矩形状領域に外設構造が構築されてなる外装構造であって、
前記外設構造は、複数の屋根材を取り外して露出させた略矩形状領域の下地上に、防水層を構築すると共に突出状の持出金具が配設され、複数の持出金具に横桟材が架け渡されて配設し、該横桟材間に構築されていることを特徴とする外装構造。
【発明の詳細な説明】
【技術分野】
【０００１】
本発明は、取り付けた外設構造が台風等の強風や突風にて吹き飛ばされる恐れがなく、瓦屋根を構成する屋根瓦に負担を与えることもなく、安定した強度を得ることができ、太陽電池システムや緑化構造等をも取り付けることができる瓦屋根への外設構造の構築法、及び外装構造に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
他方、二酸化炭素を減少させるために、屋根面を緑化して温度低下や光合成を行わせる試みも盛んに行われている。
【０００３】
従来、瓦屋根の上に太陽エネルギー変換モジュールを取り付ける構造としては、例えば特許文献１に記載されるように、所定箇所の屋根瓦を特殊な支持瓦に取り替え、この取り付けた特殊な支持瓦に縦桟及び横桟を固定し、これらの桟材に機能パネルを取り付ける構造が提案されている。
【先行技術文献】
【特許文献】
【０００４】
【特許文献１】特開２００６−１４４２６７号公報
【発明の概要】
【発明が解決しようとする課題】
【０００５】
しかしながら、前記特許文献１では、屋根瓦からなる屋根面の上方に機能性パネルを取り付ける構造であるため、屋根瓦からなる屋根面から上方に突出して（一段高く）機能性パネルが取り付けられた構造となり、台風等の強風や突風が吹き付けた場合に、機能性パネルには側方から、或いは下方側から風圧が作用するため、吹き飛ばされ易いという問題があった。
また、前記特許文献１では、前述のように既存の屋根瓦に代えて支持瓦を取り付けるものであって、この支持瓦としては、その上に縦桟や横桟などを支持するために特殊な瓦を用いる必要があり、どのような瓦にも対応できるものではなかった。
さらに、ここでは機能パネルの重量がメインであるが、全加重を数枚の支持瓦で受けなければならず、個々の支持瓦への付加が大きいものであった。さらに、既存の屋根瓦を部分的に撤去して固定する場合、下地構成が木造（合板）のために、安定した強度を得ることができないという問題もあった。
【０００６】
そこで、本発明は、瓦屋根を構成する屋根瓦に負担を与えることなく、安定した強度を得ることができ、太陽電池システムや緑化構造等をも取り付けることができる瓦屋根への外設構造の構築法、及び外装構造を提案することを目的とする。
【課題を解決するための手段】
【０００７】
本発明は、上記に鑑み提案されたものであって、瓦屋根を構成する複数の屋根材を取り外すことにより下地の略矩形状領域を露出させる工程（第１の工程）と、露出させた下地上に、防水層を構築すると共に突出状の持出金具を配設する工程（第２の工程）と、複数の持出金具に架け渡すように横桟材を配設する工程（第３の工程）と、横桟材間に外設構造を構築する工程（第４の工程）と、を含むことを特徴とする瓦屋根への外設構造の構築法に関するものである。
【０００８】
さらに、本発明は、瓦屋根の略矩形状領域に外設構造が構築されてなる外装構造であって、前記外設構造は、複数の屋根材を取り外して露出させた略矩形状領域の下地上に、防水層を構築すると共に突出状の持出金具が配設され、複数の持出金具に横桟材が架け渡されて配設し、該横桟材間に構築されていることを特徴とする外装構造をも提案するものである。
【発明の効果】
【０００９】
本発明は、瓦屋根を部分的（略矩形状領域）に取り外して前記略矩形状領域内に太陽電池システムや緑化構造等の外設構造を構築する瓦屋根への外設構造の構築法であって、瓦屋根上に載置するように外設構造を構築するものではないため、平面高さを低く抑えることができる。そのため、外設構造の表面を瓦屋根の表面と略同一高さに形成することもでき、外設構造が風雨の抵抗となることがなく、台風等の強風や突風にて吹き飛ばされる恐れもない。
また、瓦屋根を構成する複数の屋根材を取り外すことにより下地の略矩形状領域を露出させる第１の工程も、露出させた下地上に、防水層を構築すると共に突出状の持出金具を配設する第２の工程も、複数の持出金具に架け渡すように横桟材を配設する第３の工程も、横桟材間に外設構造を構築する第４の工程も、特殊な部材や装置を用いることなくそれぞれ容易に施工できるので、極めて作業性も高いものである。
さらに、前記第１の工程で取り外さない屋根材（屋根瓦）には、全く負担を与えることがない。
また、各種仕様の異なる瓦屋根にも適用でき、仮に既設の縦桟や下地に破損等があったとしても前記第２の工程にて補修しつつ防水層を構築することができ、どのような仕様の太陽電池パネル等の外設構造をも構築することができる。
また、全体の軽量化が図れ、瓦屋根上に構築する場合に比べて躯体に影響を与えることがない。そして、瓦屋根に重量や雨仕舞等の負荷を与えることなく構築できる。
さらに、屋根面から突出しないため意匠性に優れ、瓦屋根の意匠性を損なうことなく太陽電池等を配設することができる。
【００１０】
さらに、前記瓦屋根への外設構造の構築法にて施工される外装構造は、前述のように屋根材（屋根瓦）を取り外して露出させた下地上に防水層を構築すると共に配設した持出金具に横桟材を架け渡し、該横桟間に外設構造を構築したものであるから、台風等の強風や突風にて吹き飛ばされる恐れがなく、高重量の太陽電池システムや緑化構造などを設置できる。
【図面の簡単な説明】
【００１１】
【図１】（ａ）本発明の外装構造の一実施例（第１実施例）を示す側断面図（流れ方向を示す断面図）、（ｂ）その正断面図（桁行き方向を示す断面図）である。
【図２】（ａ）前記第１実施例における第１の工程を示す正断面図、（ｂ）第２の工程を示す正断面図、（ｃ）第３の工程を示す正断面図、（ｄ）第４の工程を示す正断面図である。
【図３】（ａ）前記第１実施例における第１の工程を示す側断面図、（ｂ）第２の工程を示す側断面図、（ｃ）第３の工程を示す側断面図、（ｄ）第４の工程を示す側断面図である。
【図４】（ａ）第１実施例の外装構造に用いた縦葺き外装材、保持部材、カバー材の拡大正断面図、（ｂ）取出金具及び持出金具の拡大正断面図、（ｃ）持出金具の拡大側断面図、（ｄ）横桟材の拡大正断面図、拡大側断面図、（ｅ）被覆材の拡大正断面図である。
【図５】（ａ）第１実施例の外装構造に用いた横桟材の拡大斜視図、（ｂ）固定金具の拡大斜視図、（ｃ）押さえ材の拡大斜視図、（ｄ）第２実施例に用いる縦桟材の拡大斜視図、（ｅ）Ｌ字材の拡大斜視図、（ｆ）縦桟材における長さ方向の調整機構を示す拡大断面図である。
【図６】（ａ）本発明の外装構造の他の一実施例（第２実施例）を示す側断面図（流れ方向を示す断面図）、（ｂ）その正断面図（桁行き方向を示す断面図）である。
【発明を実施するための形態】
【００１２】
本発明の瓦屋根への外設構造の構築法は、第１〜第５の工程からなり、
第１の工程は、瓦屋根を構成する複数の屋根材を取り外すことにより下地の略矩形状領域を露出させる工程であり、
第２の工程は、露出させた下地上に、防水層を構築すると共に突出状の持出金具を配設する工程であり、
第３工程は、複数の持出金具に架け渡すように横桟材を配設する工程であり、
第４の工程は、横桟材間に外設構造を構築する工程である。
なお、持出金具という名称に関し、金属製に限定されるものではなく、例えば硬質の樹脂成型品でもよいが、一般的に呼称される名称のまま持出金具とした。
以下に、これら第１〜第５の工程の各工程について、順に説明する。
【００１３】
〔第１の工程〕
瓦屋根を構成する複数の屋根材（屋根瓦）を取り外すのであるが、予め取り付ける外設部材の寸法に応じて略矩形状領域を設定し、該領域内に存在する屋根材を取り外して下地を露出させる。
なお、露出させた下地表面には、屋根材（屋根瓦）を保持する桟材が取り付けられているが、以降の第２の工程にて構築する防水層に応じてこの既設桟材を取り除いてもよいし、特に問題にならない場合には残してもよく、或いは積極的に利用してもよい。
【００１４】
〔第２の工程〕
露出させた下地上に、防水層を構築すると共に突出状の持出金具を配設するのであるが、防水層としては雨仕舞機能を有するものであればその具体的構成を限定するものではなく、例えば後述する図示実施例のように縦葺き屋根でもよいし、防水シートによって構成されるものでもよい。詳しくは防水層とは、外設構造としてのパネル間もしくはその周辺の瓦屋根から流下する雨水を下地側へ侵入しないものであればよく、その態様は特に限定するものではなく、その材質、形状にかかわらず、左右方向端部、水上側端部が起立状に納められるものである。
【００１５】
防水層として縦葺き屋根を形成する場合には、後述する図示実施例のように面板部の両端を立ち上げてなる縦葺き外装材を敷設して防水層とし、取り付けた縦葺き外装材の接続部に持出金具を固定することが望ましい。この縦葺き外装材の両端の立ち上げ部分が、隣接する縦葺き外装材同士を接続する際に突き合わせるように接続する部分（接続部）となるが、後述する図示実施例のように左右の立ち上げ部分を覆うように配設されるカバー材（キャップ材）を取り付けるようにしてもよく、それらの具体的構成についても特に限定するものではない。
さらに、この縦葺き外装材の敷設に伴って、固定する持出金具を強固に取り付けるための取付金具を、後述する図示実施例のように下地上に固定しておいてもよい。
取り付けた縦葺き外装材の接続部に持出金具を固定するのであるが、この持出金具は、縦葺き外装材の立ち上げ部分に直接的に取り付けるものでもよいし、全ての接続部に取り付ける必要はなく後述する図示実施例のように適宜間隔で取り付ければよく、また後述する図示実施例のように下地上に固定した取付金具に取り付けるものでもよい。
この持出金具の具体的構成については、後述する横桟材又はそれを固定するための補助構成を取り付けられるものであれば特に限定するものではない。
【００１６】
防水層として防水シートによって構成する場合には、防水シートは金属との積層を含むものであり、この防水層への持出金具の取付は、防水シートを配した後に取り付けるものでも、防水シートの配設時に裏面から突出させるものでもよく、その態様は特に限定するものではない。
【００１７】
〔第３の工程〕
複数の持出金具に架け渡すように横桟材を配設するのであるが、この横桟材の具体的構成については、後述する外設構造又はそれを固定するための補助構成を取り付けられるものであれば特に限定するものではない。
【００１８】
〔第４の工程〕
横桟材間に外設構造を構築するのであるが、外設構造としては、太陽電池システム（太陽電池パネル）を後述する図示実施例にて説明するが、それに限定するものではなく、屋根面に適用される外設構造であれば、例えば緑化構造（緑化パネル）でもよい。
【００１９】
前記第２の工程にて用いられる持出金具は、特にその形状や構成等を限定するものではないが、防水層に固定されるものであれば後述する図示実施例のようにピース材でもよく、接続部に直接的に取り付けるものでも、補助構成を介して取り付けるものでもよい。
なお、外設構造を支持する強度を有することが望ましいため、アルミ押出成形品やメッキ鋼板、ステンレス鋼板等のプレス加工品などが望ましい。
【００２０】
前記第３の工程にて用いられる横桟材は、特にその形状や構成等を限定するものではないが、後述する図示実施例のように桁行き方向に連続する長尺材又は定尺材であればよく、持出金具に直接的に取り付けるものでも、補助構成を介して取り付けるものでもよい。
なお、外設構造を支持する強度を有することが望ましいため、アルミ押出成形品やメッキ鋼板、ステンレス鋼板等のプレス加工品などが望ましい。
【００２１】
このような各工程からなる本発明の瓦屋根への外設構造の構築法及び外装構造は、台風等の強風や突風にて吹き飛ばされる恐れがなく、高重量の太陽電池システムや緑化構造などを設置できる。
【実施例】
【００２２】
図１に示す第１実施例における本発明の外装構造は、瓦屋根を部分的（略矩形状領域）に取り外して前記略矩形状領域１Ａ内に太陽電池システム（外設構造）を構築したものであり、図２（ａ）〜（ｄ）、及び図３（ａ）〜（ｄ）に示す手順にて施工されるものである。
なお、この第１実施例に防水層として用いた縦葺き外装材（以下、単に外装材という）３、保持部材４、カバー材５、取付金具６、持出金具７Ａ、横桟材８、被覆材２Ｅについては、図４に拡大して示した。
【００２３】
まず、第１の工程として、図２（ａ）及び図３（ａ）に示すように予め取り付ける外設部材（太陽電池パネル）９の寸法に応じて略矩形状領域を設定し、該領域内に存在する屋根材（屋根瓦）２を取り外して下地１を平面視略矩形状１Ａに露出させ、屋根材（屋根瓦）２を撤去した領域を新設の縦桟２Ｃ、横桟２Ｂで区切っている。
この第１実施例における既設屋根は、所定間隔にて配された垂木（角材）１ｂ上に所定厚みの野地板（合板）１ｃが敷設され、該野地板１ｃ上にアスファルトルーフィング１ｄが敷かれた構成の下地１の上に、瓦屋根が葺かれたものである。この瓦屋根は、前記下地１の上に、屋根材（屋根瓦）２が敷設されたものである。
【００２４】
次に、第２の工程として、図２（ｂ）及び図３（ｂ）に示すように露出させた下地１Ａ上に、防水層として面板部３１の両端を立ち上げた外装材３を、下地１Ａ上に固定具４Ｂにて固定した保持部材４に保持させた状態で敷設し、その接続部（立ち上げ部３２，３２）を覆うようにカバー材５を弾性嵌合させて取り付ける。
前記外装材３は、図４（ａ）に示すように略平坦状の面板部３１の両端を上方へ立ち上げた（立ち上げ部３２，３２）簡易な構成である。なお、前記略矩形状領域１Ａ内の最側端に配置された外装材３'，３"には、領域の側端に配した新設の縦桟２Ｂの側面から上面を被覆する略段状の覆い部３３を設けた。また、瓦屋根の裏面側への雨水の浸入を防止するため、略角柱状の止水材２Ｄを前記縦桟２Ｂの上面に配し、更に図４（ｅ）に示す被覆材２Ｅを配した。前記止水材２Ｄは、縦桟２Ｂと屋根材２の空間を塞いで止水し、更にそれにより、屋根材２自体が安定支持され、雨仕舞が高められる効果もある。
また、前記保持部材４は、下地１Ａ上に沿わせる固定片４１と略鉛直状の縦片４２とその上端を左右に折り曲げて外装材３の立ち上げ部３２，３２の上端を外側から覆う保持片４３，４３とを備える。なお、この保持片４３の前後の端縁には、外側へ広がるように成形され、後述するカバー材５の嵌合部５２を嵌め付ける被嵌合部４４をも兼ねている。
さらに、前記カバー材５は、略傘状の被覆部５１の下端に内側へ略く字状に成形された嵌合部５２が設けられた構成であり、前記保持部材４の被嵌合部４４に弾性嵌合する構成である。
また、この第２の工程では、前記略矩形状領域内の最側端に位置する外装材３の接続部（立ち上げ部３２，３２）に逆Ｔ字状の取付金具６，６を下地１Ａ上に固定した。この取付金具６は、図４（ｂ）に示すように略水平状の横片６１と略鉛直状の縦片６２とからなり、横片６１を固定具６ｂにて下地１Ａ上に固定するものであり、縦片６２はその配設状態においてカバー材５の頂部を突き抜けて上方へ延在している。
【００２５】
続いて図２（ｃ）及び図３（ｃ）に示すように外装材３の接続部（立ち上げ部３２，３２）に持出金具７Ａを取り付けるが、この第１実施例では、前記略矩形状領域１Ａ内の最側端に位置する外装材３の接続部（立ち上げ部３２，３２）にそれぞれ取付金具６を固定したので、この取付金具６，６にそれぞれ持出金具７Ａを取り付ける。
この持出金具７Ａは、図４（ｂ）、（ｃ）に示すように中央に溝部７３１を備える支持部７３を上端に備え、左右に垂下片７４，７４を備え、該垂下片７４，７４の対向間隔に前記取付金具６の縦片６２が位置するように配設すると共にボルト７ｄナット７ｅにて連結し、さらにその対向間隔には、不定形の止水材７ｈを充填した。この止水材７ｈは、図２（ｃ）における拡大断面図及び図４（ｂ）以外では、見易さを考慮して敢えて記載を省略したが、前述のように取付金具６の縦片６２がカバー材５の頂部を突き抜けて上方へ延在しているため、該突き抜け部分からの雨水の浸入を防止するものである。
なお、この持出金具７Ａの溝部７３１には、頭部を下にした六角ボルト７ｆがその水上側端部と水下側端部との２箇所に取り付け保持されている。
【００２６】
さらに、第３の工程として、図２（ｄ）及び図３（ｄ）に示すように複数の持出金具７Ａに架け渡すように横桟材８を配設するが、この第１実施例では、取り付ける太陽電池パネル９の桁行き方向長さと略等しい長さの横桟材８を取り付ける。
この横桟材８は、図４（ｄ）及び図５（ａ）に示すように略中央の突状部上端に上方が開放する溝部８１が長さ方向に亘って設けられ、前記突状部の水上側及び水下側に後述する太陽電池パネル１のフレーム材を載置状に支持する略段状の支持部８２，８２が設けられ、更にその外側に略Ｊ字状に成形された固定部８３，８３が設けられ、この固定部８３，８３には上方が開放する溝状の係合部８３１が設けられている。そして、前記持出金具７Ａの溝部７３１に保持された六角ボルト７ｆには、該六角ボルト７ｆの雄螺子部分を挿通させる孔とフック状の係止部を備える固定金具８Ｂが取り付けられ、該固定金具８Ｂのフック状の係止部を前記横桟材８の係合部８３１に係合させた状態でナット７ｇを締め付けることにより、六角ボルト７ｆの頭部が溝部８３１に係止されると共に、前記持出金具７Ａの支持部７３にこの横桟材８の固定部８３，８３が一体的に固定される。
なお、この横桟材８の溝部８１には、頭部を下にした六角ボルトである取付ボルト８ｃが取り付け保持されている。
【００２７】
最後に第４の工程として、図１（ａ）、（ｂ）に示すように前記横桟材８，８間に太陽電池パネル９を外設部材として取り付けて外設構造を構築する。
この太陽電池パネル９は、略矩形状の側周縁にフレーム材９Ｂを一体的に周設してなる構成であって、前記横桟材８の溝部８１に保持させた取付ボルト８ｃの雄螺子部分に、図５（ｂ）に示す逆ハット状の押さえ材９Ｃを挿通させ、該押さえ材９Ｃにて隣接する太陽電池パネル９，９の端縁を上方から押さえた状態で、上方からナット８ｄを締め付けることにより、取付ボルト８ｃの頭部が溝部８１に係止されると共に、前記横桟材８に前記押さえ材９Ｃが上方から押さえ付けるように一体化し、それによりこの太陽電池パネル９，９が一体的に固定される。なお、図示実施例では、前記押さえ材９Ｃの水下側端部から前記持出金具７Ａへの前記横桟材８の固定部分を覆う略階段状の化粧材９Ｄが取り付けられている。
前記太陽電池パネル９における太陽電池としては、多結晶，単結晶，アモルファス等、どのようなものを用いてもよい。
【００２８】
以上の各工程からなる本発明の第１実施例の施工法は、瓦屋根を部分的（略矩形状領域１Ａ）に取り外して前記略矩形状領域１Ａ内に太陽電池システム９を外設部材として取り付けるものであって、瓦屋根上に載置しないため、平面高さを低く抑えることができ、外設構造の表面を瓦屋根の表面と略同一高さに形成することもでき、外設構造が風雨の抵抗となることがなく、台風等の強風や突風にて吹き飛ばされる恐れもない。
また、前記第１〜第４の何れの工程も、特殊な部材や装置を用いることなくそれぞれ容易に施工できるので、極めて作業性も高いものである。
さらに、前記第１の工程で取り外さない屋根材（屋根瓦）２には、全く負担を与えることがない。
また、各種仕様の異なる瓦屋根にも適用でき、仮に既設の縦桟や下地に破損等があったとしても前記第２の工程にて補修しつつ縦葺き外装材を取り付けることができ、どのような仕様の太陽電池パネルの外設構造をも構築することができる。
【００２９】
図６に示す第２実施例では、前記第１実施例と同様の持出金具７Ａに直接的に横桟材８を取り付けるのではなく、前記持出金具７Ａに図５（ｅ）に示すＬ字材７Ｃを介して図５（ｄ）に示す縦桟材７Ｂを固定し、該縦桟材７Ｂの長さ方向の任意の位置に前記第１実施例と同様の横桟材８及び太陽電池パネル９を取り付けるようにした構成であり、それ以外の構成は前記第１実施例とほぼ同様であるから、同一符号を付して説明を省略する。
【００３０】
この第２実施例に用いられた縦桟材７Ｂは、側方が開放する側方調整溝７５と、上方が開放する上方調整溝７６とを備える断面略矩形状であり、各調整溝７５，７６内には、それぞれ六角ボルトである連結具７ｉ，７ｆの頭部が嵌合保持されることにより、各連結具７ｉ，７ｋは長手方向に摺動可能である。
各調整溝７５，７６の横幅は、各連結具７ｉ，７ｆの頭部の頂面の対向角を結ぶ長さより小さく、且つ対向辺間の距離よりも大きく形成されているので、各連結具７ｉ，７ｋの頭部が各調整溝７５，７６内に嵌合保持され、しかも締め付け時に回転することなく保持されている。また、調整溝７５，７６から、連結具７ｉ，７ｆの頭部を陥入可能な溝幅に対し、その開放幅は連結具７ｉ，７ｆの頭部より小さく、且つ連結具７ｉ，７ｆの脚部分（雄螺子部分）の太さより大きく形成されているので、例えば摺動時などに頭部が脱落することがない。
そして、連結具７ｉ，７ｆの脚部分（雄螺子部分）には締め付けナットである締着具７ｊ，７ｇを螺着して締め付けることにより、任意の位置にて調整して留め付けることができる。なお、これらの機構は、前記横桟材８の溝部８１と取付ボルト８ｃ（ナット８ｄ）についても同様であり、長さ方向に連続状に形成された溝部内に嵌合させた状態で調整でき、任意の位置にて締め付け固定することができるので、長さ方向の調整機構として有効である。
【００３１】
この第２実施例における瓦屋根への太陽電池パネル９の取付方法も前記第１実施例とほぼ同様であるが、前述のように第１実施例と異なる構成も採用しているので、その縦桟材７Ｂ、Ｌ字材７Ｃを用いた手順を以下に示す。
まず、下地の略矩形状領域１Ａを露出させる第１の工程、露出させた下地１Ａ上に、防水層として外装材３を取り付け、外装材３，３の接続部に、取付金具６を固定し、該取付金具６に持出金具７Ａを固定する第２の工程までは、前記第１実施例と全く同様に行うものである。
【００３２】
第３の工程としては、前記第１実施例では、複数の持出金具７Ａに架け渡すように横桟材８を配設したが、この第２実施例では、各持出金具７Ａにピース材であるＬ字材７Ｃを固定（連結具７ｋ、締着具７ｌ）し、更に縦桟材７Ｂを架け渡して固定（連結具７ｉ、締着具７ｊ）する。その際、予め各持出金具７Ａの取付以前にＬ字材７Ｃを固定しておいてもよい。
なお、この状態で、締着具７ｊを緩めることにより長さ方向の任意の位置に縦桟材７Ｂを（微）調整することもできる。
【００３３】
その後、固定した縦桟材７Ｂに対し、横桟材８を取り付けるのであるが、取付方法自体は前記第１実施例と全く同様であり、縦桟材７Ｂの上方調整溝７６に保持された六角ボルト７ｆに、フック状の係止部を備える固定金具８Ｂが取り付けられ、該固定金具８Ｂのフック状の係止部を前記横桟材８の係合部８３１に係合させた状態でナット７ｇを締め付けることにより、六角ボルト７ｆの頭部が上方調整溝７６に係止されると共に、前記縦桟材７Ｂの上面にこの横桟材８の固定部８３，８３が一体的に固定される。
なお、この状態で、ナット７ｇを緩めることにより縦桟材７Ｂの長さ方向の任意の位置に横桟材７Ａを（微）調整して固定することもができる。
【００３４】
続いて第４の工程として、前記第１実施例と全く同様に横桟材８，８間に太陽電池パネル９を外設部材として取り付けて外設構造を構築する。
【００３５】
このように施工される第２実施例では、持出金具７Ａに直接的に横桟材８を取り付けるのではなく、長さ方向の調整機構（側方調整溝７５、上方調整溝７６）を備える縦桟材７Ｂを介して取り付ける構成であるため、広い面積に亘って太陽電池システム（外設構造）を構築する場合に好適である。
【符号の説明】
【００３６】
１  下地
１Ａ  略矩形状領域
１ｂ  垂木
１ｃ  野地材
１ｄ  アスファルトルーフィング
２  屋根材（屋根瓦）
２Ｂ  縦桟
２Ｃ  横桟
２Ｄ  止水材
２Ｅ  被覆材
３，３'，３"  外装材
３１  面板部
３２  立ち上げ部
４  保持部材
４１  固定片
４２  縦片
４３  保持片
４４  被嵌合部
５  カバー材
５１  被覆部
５２  嵌合部
６  取付金具
６ｂ  固定具
６１  横片
６２  縦片
７Ａ  持出金具
７Ｂ  縦桟材
７ｄ  ボルト
７ｅ  ナット
７ｆ  六角ボルト
７ｇ  ナット
７ｈ  止水材
７ｉ  連結具
７ｊ  締着具
７ｋ  連結具
７ｌ  締着具
７３  支持部
７３１  溝部
７４  垂下片
７５  側方調整溝
７６  上方調整溝
８  横桟材
８１  溝部
８２  支持部
８３  固定部
８Ｂ  固定金具
８ｃ  取付ボルト
８ｄ  ナット
９  太陽電池パネル（外設部材）
９Ｂ  フレーム材
９Ｃ  押さえ材
９Ｄ  化粧材
【図１】
0005751468.tif 000002
【図２】
0005751468.tif 000003
【図３】
0005751468.tif 000004
【図４】
0005751468.tif 000005
【図５】
0005751468.tif 000006
【図６】
0005751468.tif 000007